(57)【特許請求の範囲】
【請求項１】
外部からの押圧により内容物を吐出する吐出容器を収容可能な器状の容器本体と、
前記容器本体よりも浅底の器状であってその凹側に前記吐出容器を載置可能な蓋体と、
を備え、
前記蓋体を前記容器本体の凹側に挿入することでその凹側の開放面が塞がれて前記吐出容器を閉じ込める収容室が形成される一方、
前記蓋体の凹側に載置された状態の吐出容器を前記容器本体の凸側で押圧可能であること
を特徴とする吐出機能付きパッケージ。
【請求項２】
前記容器本体の縁部と前記蓋体の縁部とを連結する帯状の連結片を備え、
前記蓋体の凸側が前記容器本体の凹側に挿入可能に構成され、前記蓋体の凸側を前記容器本体の凹側に挿入することで前記収容室が形成される一方、
前記容器本体を前記蓋体に対して前記連結片の幅方向を軸に回転移動させることにより前記容器本体の凸側が前記蓋体の凹側に挿入可能に構成され、前記蓋体の凹側に載置された状態の吐出容器を前記容器本体の凸側で押圧可能であること
を特徴とする請求項１に記載の吐出機能付きパッケージ。
【請求項３】
前記連結片は、前記容器本体の深さ方向の長さから前記蓋体の深さを差し引いた長さに形成されていること
を特徴とする請求項２に記載の吐出機能付きパッケージ。
【請求項４】
前記蓋体には、その凹側に載置された状態の吐出容器をその吐出口が外部に露出するように挿入可能な貫通穴が形成されていること
を特徴とする請求項１から請求項３までのいずれか１項に記載の吐出機能付きパッケージ。
【請求項５】
前記容器本体及び前記蓋体の各凹側は、開放側に向かって広がった形状であること
を特徴とする請求項１から請求項４までのいずれか１項に記載の吐出機能付きパッケージ。
【請求項６】
請求項１から請求項５までのいずれか１項に記載の吐出機能付きパッケージの使用方法であって、
前記収容室が形成されている状態で前記蓋体を前記容器本体の凹側から取り外して前記吐出容器を取り出し、
前記吐出容器を前記蓋体の凹側に載置し、
前記蓋体の凹側に載置された状態の吐出容器を前記容器本体の凸側で押圧して内容物を吐出させること
を特徴とする吐出機能付きパッケージの使用方法。
【発明の詳細な説明】
【技術分野】
【０００１】
本発明は、外部からの押圧により内容物を吐出する吐出容器を収容するためのパッケージに関するものである。
【背景技術】
【０００２】
従来、例えば染毛剤等の毛髪化粧料は、パウチやチューブ容器など、外部からの押圧により内容物を吐出する吐出容器に収容され、ブラシなどとともにパッケージ（外箱等の包装容器）に収容された状態で流通することが一般的である。
【０００３】
こうした吐出容器から内容物を吐出させるには、吐出容器を指で直接押圧する以外に、押圧操作を補助する吐出具を用いることもできる（特許文献１，２参照）。こうした吐出具を用いれば、吐出容器を指で局所的に押圧する場合に比べて内容物を良好に吐出させやすくなるといったメリットがある。
【先行技術文献】
【特許文献】
【０００４】
【特許文献１】実開昭５２−１４７６４８号公報
【特許文献２】特開平９−２０７９５２号公報
【発明の概要】
【発明が解決しようとする課題】
【０００５】
しかしながら、前述したような吐出具は、例えば吐出容器とともにパッケージに収容して提供することなどが考えられるが、吐出容器を別途用意することにより商品としてのコストが大幅に上昇してしまうという問題があった。
【０００６】
本発明は、こうした問題にかんがみてなされたものであり、商品としてのコストを大幅に上昇させることなく吐出容器から内容物を良好に吐出させやすくすることのできる吐出機能付きパッケージを提供することを目的としている。
【課題を解決するための手段】
【０００７】
上記目的を達成するためになされた本発明の請求項１に記載の吐出機能付きパッケージは、外部からの押圧により内容物を吐出する吐出容器を収容可能な器状の容器本体と、容器本体よりも浅底の器状であってその凹側に吐出容器を載置可能な蓋体とを備える。そして、この吐出機能付きパッケージは、蓋体を容器本体の凹側に挿入することでその凹側の開放面が塞がれて吐出容器を閉じ込める収容室が形成される一方、蓋体の凹側に載置された状態の吐出容器を容器本体の凸側で押圧可能となっている。
【０００８】
このような吐出機能付きパッケージによれば、蓋体の凹側に載置された状態の吐出容器を容器本体の凸側で押圧することで吐出容器から内容物を吐出させることができる。つまり、本発明の吐出機能付きパッケージは、吐出容器を収容するパッケージとして機能するだけでなく、吐出具としても機能する。したがって、商品としてのコストを大幅に上昇させることなく吐出容器から内容物を良好に吐出させやすくすることができる。
【０００９】
ここで、吐出具としての性能を高めるためには、例えば請求項２のように構成するとよい。
すなわち、請求項２に記載の吐出機能付きパッケージは、容器本体の縁部と蓋体の縁部とを連結する帯状の連結片を備える。そして、この吐出機能付きパッケージは、蓋体の凸側が容器本体の凹側に挿入可能に構成され、蓋体の凸側を容器本体の凹側に挿入することで収容室が形成される一方、容器本体を蓋体に対して連結片の幅方向を軸に回転移動させることにより容器本体の凸側が蓋体の凹側に挿入可能に構成され、蓋体の凹側に載置された状態の吐出容器を容器本体の凸側で押圧可能となっている。
【００１０】
このような吐出機能付きパッケージによれば、容器本体と蓋体との位置関係の自由度が連結片によって制限される分、蓋体の凹側に載置された状態の吐出容器を容器本体の凸側で安定して押圧することができる。
【００１１】
そして、このように連結片を備える構成では、例えば請求項３に記載のように、連結片が、容器本体の深さ方向の長さから蓋体の深さを差し引いた長さに形成されていることが好ましい。このような吐出機能付きパッケージによれば、連結片の長さが、容器本体の凸側を蓋体の凹側に完全に挿入した状態に合致するため、吐出容器を最後まで安定して押圧することができる。
【００１２】
ところで、蓋体の凹側に載置された状態の吐出容器を容器本体の凸側で押圧する際には、吐出容器の位置が固定されていることが好ましい。
そこで、例えば請求項４に記載の吐出機能付きパッケージでは、蓋体の凹側に載置された状態の吐出容器をその吐出口が外部に露出するように挿入可能な貫通穴が蓋体に形成されている。このような吐出機能付きパッケージによれば、蓋体の凹側に載置された状態の吐出容器の位置を簡易的に固定することができる。
【００１３】
一方、例えば請求項５に記載の吐出機能付きパッケージでは、容器本体及び蓋体の各凹側が、開放側に向かって広がった形状となっているため、蓋体の凸側を容器本体の凹側にスムーズに挿入可能としつつ、容器本体の凸側を蓋体の凹側にスムーズに挿入可能とすることができる。
【００１４】
次に、例えば請求項６に記載の吐出機能付きパッケージの使用方法は、請求項１から請求項５までのいずれか１項に記載の吐出機能付きパッケージの使用方法であって、収容室が形成されている状態で蓋体を容器本体の凹側から取り外して吐出容器を取り出し、吐出容器を蓋体の凹側に載置し、蓋体の凹側に載置された状態の吐出容器を容器本体の凸側で押圧して内容物を吐出させるというものである。このような吐出機能付きパッケージの使用方法によれば、吐出具を別途用意することなく吐出容器から内容物を良好に吐出させやすくすることができる。
【図面の簡単な説明】
【００１５】
【図１】実施形態の吐出機能付きパッケージの斜視図である。
【図２】容器本体から蓋体を取り外す過程を示す説明図であり、（ａ）は蓋体をその貫通穴が外部に露出する程度に引き出した状態を示す斜視図、（ｂ）は蓋体を取り外してパウチを取り出した状態を示す斜視図である。
【図３】容器本体の凸側を蓋体の凹側に挿入した状態を示す説明図であり、（ａ）はパウチを載置していない状態で容器本体の凸側を蓋体の凹側に完全に挿入した状態を示す断面図、（ｂ）は蓋体の凹側にパウチを載置した状態を示す断面図、（ｃ）は蓋体の凹側に載置した状態のパウチを容器本体の凸側で押圧している状態を示す断面図である。
【発明を実施するための形態】
【００１６】
以下、本発明が適用された実施形態について、図面を用いて説明する。
図１は、実施形態の吐出機能付きパッケージ１００の斜視図である。また、図２は、容器本体３０から蓋体４０を取り外す過程を示す説明図であり、（ａ）は蓋体４０をその貫通穴４１が外部に露出する程度に引き出した状態を示す斜視図、（ｂ）は蓋体４０を取り外してパウチ１０，２０を取り出した状態を示す斜視図である。また、図３は、容器本体３０の凸側を蓋体４０の凹側に挿入した状態を示す説明図であり、（ａ）はパウチ１０，２０を載置していない状態で容器本体３０の凸側を蓋体４０の凹側に完全に挿入した状態を示す断面図、（ｂ）は蓋体４０の凹側にパウチ１０，２０を載置した状態を示す断面図、（ｃ）は蓋体４０の凹側に載置した状態のパウチ１０，２０を容器本体３０の凸側で押圧している状態を示す断面図である。
【００１７】
本実施形態の吐出機能付きパッケージ１００は、ヘアカラーの第１剤及び第２剤が別々に収容された２つのパウチ１０，２０を収容するためのものであり、これら２つのパウチ１０，２０は、この吐出機能付きパッケージ１００に収容された状態（図１に示す状態）で商品として流通する。
【００１８】
そして、この吐出機能付きパッケージ１００は、２つのパウチ１０，２０を収容する収容容器として機能する容器本体３０と、この容器本体３０の開放面を塞ぐ蓋として機能する蓋体４０と、これら容器本体３０と蓋体４０とを下端縁部において連結する連結片５０と、蓋体４０の上部（連結片５０が設けられる側と対向する側）から上方に延びるつり下げ片６０とを備えている。なお、本実施形態の吐出機能付きパッケージ１００は、展開形状に型抜きされた１枚の透明のプラスチックシートが立体的に折り曲げされて形成されたもの（いわゆるクリアケース）である。
【００１９】
各パウチ１０，２０は、外部からの押圧により内容物（本実施形態ではヘアカラーの第１剤及び第２剤）を吐出する吐出容器である。具体的には、内容物を吐出する際に先端部が切り取られて吐出口が形成される突出片１１，２１が形成されており、吐出口が形成された状態で外部から押圧されることにより内容物が吐出口から吐出される。
【００２０】
容器本体３０は、概略直方体の箱形六面体の１面を開放した器状のものである。具体的には、開放面及びその対向面が長方形であり、開放面の方が一回り大きく形成されている。このため、残りの４面は開放面側にやや広がった台形となっている。そして、容器本体３０は、その凹側（開放面側）の空間に２つのパウチ１０，２０を収容可能となっている（図１参照）。なお、後述するように、容器本体３０の凸側（凹側と表裏関係にある側）は、２つのパウチ１０，２０を同時に押圧するための押圧面として機能する（図３（ｂ），（ｃ）参照）。
【００２１】
蓋体４０は、容器本体３０と同様、概略直方体の箱形六面体の１面を開放した器状のものであり、容器本体３０に比べて浅底に形成されている。具体的には、容器本体３０と同様、開放面及びその対向面が長方形であって、開放面の方が一回り大きく形成されており、残りの４面は開放面側にやや広がった台形となっている。
【００２２】
ここで、蓋体４０の開放面は、容器本体３０の開放面と形状及び寸法がほぼ同一に設計されている。また、蓋体４０の開放面からその対向面への傾斜度合いは、容器本体３０の開放面からその対向面への傾斜度合いとほぼ同一に設計されている。そして、前述したように、蓋体４０は容器本体３０に比べて浅底に（深さ方向の長さが短く）設計されている。このため、蓋体４０の凸側を容器本体３０の凹側に挿入することで、容器本体３０と蓋体４０との間に２つのパウチ１０，２０を収容する空間を残しつつ、容器本体３０の開放面を塞ぐことができる（図１参照）。なお、後述するように、蓋体４０の凹側は、２つのパウチ１０，２０を載置するトレイとして利用される（図３（ｂ），（ｃ）参照）。
【００２３】
連結片５０は、容器本体３０及び蓋体４０の各下端縁部（短手方向の一辺）同士を連結する帯状（長方形状）のものであり、容器本体３０に蓋体４０が挿入されている状態（図１に示す状態）では半分に折り曲げられている。また、連結片５０は、容器本体３０における連結片５０が設けられた側の深さ方向の長さ（深さ方向の外形寸法であり、換言すれば深さ＋シートの厚み）から、蓋体４０における連結片５０が設けられた側の深さを差し引いた長さに形成されている（図３（ａ）参照）。つまり、容器本体３０の凸側を蓋体４０の凹側に完全に挿入した状態における各下端縁部間の距離に合致する長さとなっている。このため、容器本体３０を蓋体４０に対して連結片５０の幅方向を軸に回転移動させることにより、容器本体３０の凸側を蓋体４０の凹側に完全に挿入することができ、蓋体４０の凹側の内面に容器本体３０の凸側の外面全域を当接させることができる。
【００２４】
つり下げ片６０は、蓋体４０の上端縁部（連結片５０側と対向する側の短手方向の一辺）から上方へ延びる長方形状のものであり、販売時に商品をつり下げて陳列可能とする貫通穴６１が形成されている。また、つり下げ片６０は、蓋体４０におけるつり下げ片６０が設けられた側の深さ方向の長さよりも長く形成されており、蓋体４０の凹側をトレイとして利用する際には、つり下げ片６０を蓋体４０の凸側に折り曲げることにより、つり下げ片６０側を高くして載置することができる（図３（ｂ），（ｃ）参照）。
【００２５】
また、蓋体４０におけるつり下げ片６０が連結された側の面には、当該蓋体４０の凹側に２つのパウチ１０，２０を載置した状態で、これらの突出片１１，２１を挿入して外部に露出させるための貫通穴４１が形成されている。この貫通穴４１は、パウチ１０，２０の断面形状に合わせて横長のスリット状に形成されており、内容物の吐出を妨げないようにスリット中央部の幅が大きく形成されている（図２（ａ）参照）。また、この貫通穴４１は、つり下げ片６０を蓋体４０の凸側に折り曲げた状態でつり下げ片６０の貫通穴６１と連通する位置に設けられており、各貫通穴４１，６１の左右両端には、パウチ１０，２０を通しやすくするための切り込みが設けられている。なお、商品陳列時の状態（図１に示す状態）では貫通穴４１が外部に露出しないため、外観が損なわれにくい。
【００２６】
次に、本実施形態の吐出機能付きパッケージ１００の使用方法について説明する。
まず、図１に示すように容器本体３０の開放面が蓋体４０により塞がれた状態から、図２（ａ）→図２（ｂ）に示すように蓋体４０を取り外して、２つのパウチ１０，２０を取り出す。
【００２７】
次に、つり下げ片６０を蓋体４０の凸側に折り曲げることにより蓋体４０の貫通穴４１とつり下げ片６０の貫通穴６１とを連通させ、この状態で各パウチ１０，２０を蓋体４０の凹側に上下に重ねて載置しつつ、それらの突出片１１，２１を貫通穴４１，６１を通して外部に露出させる。なお、つり下げ片６０は、パウチ１０，２０の突出片１１，２１が引っかかることにより折り曲げられた状態が維持される。
【００２８】
そして、この状態で、図３（ｂ）→図３（ｃ）に示すように、容器本体３０を蓋体４０に対して連結片５０の幅方向を軸に回転移動させ、蓋体４０の凹側に載置された状態の２つのパウチ１０，２０を容器本体３０の凸側で押圧する。これにより、２つのパウチ１０，２０から内容物である第１剤及び第２剤が同時にほぼ同量吐出される。ここで、容器本体３０の凸側は、パウチ１０，２０をその裾部側から押圧するため、内容物が残存しにくい。また、つり下げ片６０が脚として機能することにより、パウチ１０，２０の吐出口の位置が高くなるため、吐出された第１剤及び第２剤をブラシ等の塗布具の上に載せやすくなる。
【００２９】
以上説明したように、本実施形態の吐出機能付きパッケージ１００によれば、蓋体４０の凹側に載置された状態の２つのパウチ１０，２０を容器本体３０の凸側で押圧することで２つのパウチ１０，２０から内容物を同時にほぼ同量吐出させることができる。特に、容器本体３０の凸側を蓋体４０の凹側に完全に挿入した状態に合致する長さの連結片５０が設けられており、しかも、蓋体４０における貫通穴４１が形成される側とは反対側に設けられているため、２つのパウチ１０，２０を裾部側から吐出口側へ内容物が残存しにくいように最後まで安定して（ばらつきの生じにくい状態で）押圧することができる。
【００３０】
また、この吐出機能付きパッケージ１００では、蓋体４０の凹側に載置した２つのパウチ１０，２０の位置を、蓋体４０及びつり下げ片６０の貫通穴４１，６１により簡易的に固定することができる。さらに、つり下げ片６０を脚として機能させることでパウチ１０，２０の吐出口の位置を高くしているため、吐出された第１剤及び第２剤をブラシ等の塗布具の上に載せやすくすることができる。
【００３１】
加えて、この吐出機能付きパッケージ１００では、容器本体３０及び蓋体４０の各凹側が開放側に向かって広がった形状となっているため、容器本体３０及び蓋体４０を相互にスムーズに挿入可能とすることができる。
【００３２】
以上、本発明の実施形態について説明したが、本発明は、上記実施形態に限定されることなく、種々の形態を採り得ることは言うまでもない。
例えば、上記実施形態では、つり下げ片６０を備える構成を例示したが、これに限定されるものではなく、つり下げ片６０を有しない構成とすることも可能である。
【００３３】
また、上記実施形態では、２つのパウチ１０，２０を蓋体４０の凹側に上下に重ねて載置する構成を例示したが、これに限定されるものではなく、横に並べて載置可能な構成とすることも可能である。
【００３４】
さらに、上記実施形態では、蓋体４０に貫通穴４１が形成された構成を例示したが、これに限定されるものではなく、貫通穴４１を有しない構成とすることも可能である。
一方、上記実施形態では、吐出容器として２つのパウチ１０，２０を例示したが、これに限定されるものではなく、例えばチューブ容器を用いてもよい。なお、この場合、蓋体４０に形成する貫通穴４１は、チューブ容器の先端形状に合わせて例えば２つの円形の穴にすることが考えられる。
【００３５】
そして、上記実施形態では、吐出容器に収容される内容物としてヘアカラーの第１剤及び第２剤を例示したが、これに限定されるものではなく、例えば他の毛髪化粧料であってもよい。また、２種類の薬剤を混合して使用する毛髪化粧料に限定されるものではなく、３種類以上の薬剤を混合して使用するものや、１種類の薬剤をそのまま使用するものであってもよい。したがって、吐出機能付きパッケージ１００に収容される吐出容器の数も２つに限定されない。なお、毛髪化粧料以外の内容物であっても本発明を適用することは可能である。
【００３６】
また、上記実施形態では、概略直方体の箱形六面体の１面を開放した器状の容器本体３０及び蓋体４０を例示したが、これに限定されるものではなく、例えば、開放面の対向面が長方形以外（円形、三角形、五角形等）の器状とすることも可能である。
【００３７】
さらに、上記実施形態では、展開形状に型抜きされた１枚の透明のプラスチックシートを立体的に折り曲げて形成された吐出機能付きパッケージ１００を例示したが、これに限定されるものではない。例えば、金型などによりあらかじめ立体的に形成された透明のプラスチックケース（展開不能な形状）であってもよく、また、紙箱であってもよい。
【００３８】
一方、上記実施形態では、容器本体３０と蓋体４０とが下端縁部において連結片５０により連結された構成を例示したが、これに限定されるものではなく、下端縁部以外において連結することも可能である。また、連結片５０を有しない構成としてもよく、この場合には、例えば蓋体４０の凹側を容器本体３０の凹側に挿入することで収容空間を形成する構成とすることも可能である。
【符号の説明】
【００３９】
１０，２０…パウチ、１１，２１…突出片、３０…容器本体、４０…蓋体、４１…貫通穴、５０…連結片、６０…つり下げ片、６１…貫通穴、１００…吐出機能付きパッケージ
【図１】
0005398566.tif 000002
【図２】
0005398566.tif 000003
【図３】
0005398566.tif 000004